(57)【要約】      （修正有）【課題】アイスクリーム玩具などの合体玩具において、一方のパーツに回転運動を与えて移動させることができ、他方のパーツに当接させて両者を連結する連結玩具を提供する。【解決手段】互いに分離連結可能な第１ピース５１と第２ピース５２を有する合体玩具５０を連結するための連結玩具１であって、第１ピースを保持する第１ピース保持部３と、第２ピースを保持する第２ピース保持部４と、駆動手段８と、駆動手段からの駆動力により、２ピース保持部を第１ピース保持部に対して接触方向及び離間方向に移動可能な離接手段１０と、第２ピース保持部４に設けられ、離接手段の移動に伴って、第２ピースを回転可能な回転部５を有するように構成されている。【選択図】図１
2019058378.tif 000002
【特許請求の範囲】
【請求項１】
互いに分離連結可能な第１ピースと第２ピースを有する合体玩具を連結するための連結玩具であって、
前記第1ピースを保持する第１ピース保持部と、
前記第２ピースを保持する第２ピース保持部と、
駆動手段と、
前記駆動手段からの駆動力により、前記２ピース保持部を前記第１ピース保持部に対して接触方向及び離間方向に移動可能な離接手段と、
前記第２ピース保持部に設けられ、前記離接手段の移動に伴って、前記第２ピースを回転可能な回転部と、
を有することを特徴とする合体玩具の連結玩具。
【請求項２】
請求項１記載の合体玩具の連結玩具であって、前記回転部は切り替え手段を有し、前記切り替え手段は、前記接近方向の移動もしくは前記離間方向の移動のいずれか一方の移動の際に前記回転部を回転させ、他方の移動の際には前記回転部を回転させないことを特徴とする合体玩具の連結玩具。
【請求項３】
請求項１または２記載のいずれか記載の合体玩具の連結玩具であって、前記回転部は前記離接手段の、前記接近方向の移動もしくは前記離間方向の移動のいずれかの間に180度回転することを特徴とする合体玩具の連結玩具。
【請求項４】
請求項１ないし３記載のいずれか記載の合体玩具の連結玩具であって、前記駆動手段は、手動のスロットレバーであることを特徴とする合体玩具の連結玩具。
【請求項５】
請求項１記載の合体玩具の連結玩具であって、前記第１ピース保持部はと前記第２ピース保持部の上方に配置され、前記離接手段は昇降スタンドであることを特徴とする合体玩具の連結玩具。
【請求項６】
請求項５記載の合体玩具の連結玩具であって、前記第１ピース保持部は落下穴と前記落下穴の少なくとも一部を塞ぐゲートを有し、前記第１ピースは前記ゲート上に載置され、前記第２ピース保持部の接近に連動して前記ゲートを開放することを特徴とする合体玩具の連結玩具。
【請求項７】
請求項６記載の合体玩具の連結玩具であって、前記ゲートは互いに対向し、第１ゲート部と第２ゲート部、前記第１ゲート及び前記第２ゲートを互いに接近する方向に付勢する付勢手段を有し、前記第２ピース保持部は前記第１ゲート部と前記第２ゲート部との隙間に挿入可能な楔部を有し、前記第２ピース保持部を上昇させると前記楔部が前記付勢手段に抗して前記第１ゲート部と前記第２ゲート部を離間させることを特徴とする合体玩具の連結玩具。
【請求項８】
請求項1ないし７のいずれか記載の合体玩具の連結玩具であって、前記合体玩具はアイスクリーム玩具であり、前記第１ピースはアイス部であり、前記第２ピースはコーン部であることを特徴とする合体玩具の連結玩具。
【請求項９】
請求項１ないし８のいずれか記載の合体玩具の連結玩具であって、前記合体玩具の前記第１ピースと前記第２ピースはそれぞれに取り付けられた面ファスナーにより連結、分離可能なことを特徴とする合体玩具の連結玩具。
【発明の詳細な説明】
【技術分野】
【０００１】
本考案は、例えば面ファスナーなどの連結部材を取り付けた、複数のパーツを組み上げて遊ぶ合体玩具に関して、合体玩具の一方のパーツを移動させて他方のパーツと連結させて遊ぶ連結玩具に関する。
【背景技術】
【０００２】
従来から、玩具を構成するパーツのそれぞれに面ファスナーを固定し、互いに連結して組み上げる合体玩具が存在していた。例えば、実公平6-34000号公報に記載されるアイスクリーム玩具では、コーンピースとアイスピースのそれぞれに面ファスナーを取り付け、両者を組み上げてアイスクリーム玩具を構成したり、アイス部の上端にさらに面ファスナーを取り付けて、他のアイスピースをさらに重ねて積み上げることができるように構成されている。
【０００３】
また、他の従来例では、例えば、特許3080406号公報に開示される組立玩具がある。この考案では、紙製コーン部の上面と、その上に乗せる紙製アイスピースの下面のそれぞれに面ファスナーを設け、両者を連結して遊ぶ構成が開示されている。この考案では、特に、紙製のコーンピースと、同じく紙製のアイスピースを、紙製の展示ケースに、それぞれ複数分離した状態で載置展示できる構成が説明されている。
【先行技術文献】
【特許文献】
【０００４】
【特許文献１】実公平6-34000号公報
【特許文献２】特許3080406号公報
【発明の概要】
【発明が解決しようとする課題】
【０００５】
特許文献１、特許文献２のいずれに記載されたアイスクリーム玩具の合体玩具も、面ファスナーにより複数のピースを着脱自在に構成したものであり、複数種類のピースを用意すれば、複数のピースを多様に組み合わせて、多様なアイスクリーム玩具を構成できる楽しさを提供する。しかしながら、その連結作業は、遊び手の手動で行われ、連結作業自体の動きに意外性を与え、楽しさを与えるものでは無かった。
【０００６】
そこで本発明の目的は、アイスクリーム玩具などの合体玩具において、一方のパーツに回転運動を与えて移動させることができ、他方のパーツに当接させて両者を連結する連結玩具を提供することにある。
【課題を解決するための手段】
【０００７】
上記課題を解決するために本発明に係る合体玩具の連結玩具は、互いに分離連結可能な第１ピースと第２ピースを有する合体玩具を連結するための連結玩具であって、前記第1ピースを保持する第１ピース保持部と、前記第２ピースを保持する第２ピース保持部と、  駆動手段と、前記駆動手段からの駆動力により、前記２ピース保持部を前記第１ピース保持部に対して接触方向及び離間方向に移動可能な離接手段と、前記第２ピース保持部に設けられ、前記離接手段の移動に伴って、前記第２ピースを回転可能な回転部と、を有するように構成する。
【０００８】
特に、前記回転部は前記接触方向の移動もしくは前記離間方向の移動のいずれか一方の移動の際に回転し、他方の移動の際には回転しないように構成してもよい。
【発明の効果】
【０００９】
本発明にかかる合体玩具の連結玩具は、合体玩具の第２ピースを第１ピースに接触させ、または離間させる移動の際に、第２ピースを回転可能な構成するために、第２ピースの動きに遊び手の興味を持たせる玩具を提供することができる。
【００１０】
また、特に、接触方向の移動もしくは離間する方向の移動の一方で第２ピースを回転させ、他方で回転させない構成とすることで、離接の往復で第２ピースの動きに変化を与え、遊び手のより大きな興味を引くことができる。
【図面の簡単な説明】
【００１１】
【図１】第１実施形態に係るアイスクリーム製造玩具の正面図である。
【図２】同実施形態に係るアイスクリーム製造玩具の、外カバーを外した状態の背面斜視図である。
【図３】同実施形態に係るアイスクリーム製造玩具の、外カバーを外した状態の正面斜視図である。
【図４】同実施形態に係るターンテーブルの回転説明図である。
【図５】同実施形態に係るゲートの開閉機構の説明図である。
【図６】同実施形態に係る昇降スタンドの楔部の作用の説明図である。
【図７】同実施形態に係るアイスクリーム製造玩具の一連の動作の説明図である。
【図８】第２実施形態に係るアイスクリーム製造玩具の、外カバーを外した状態の背面斜視図である。
【図９】同実施形態に係るアイスクリーム製造玩具の、外カバーを外した状態の正面斜視図である。
【図１０】同実施形態に係るアイスクリーム製造玩具の開閉寄稿の説明図である。
【図１１】第３実施形態に係るロボット連結玩具の一連の動作を説明する説明図である。
【発明を実施するための形態】
【００１２】
＜アイスクリーム玩具及びアイスクリーム製造玩具の全体構造＞
先ず、本発明の第１実施形態に係るアイスクリーム製造玩具について図１〜図７に基づいて説明する。図１はアイスクリーム製造玩具の正面図、図２はアイスクリーム製造玩具の外カバーを外した状態の背面斜視図、図３はアイスクリーム製造玩具の外カバーを外した状態の正面指図である。
【００１３】
図１に示すように、合体玩具たるアイスクリーム製造玩具１は、プラスチック製の合体玩具である、アイス玩具50を使用して遊ぶものである。より具体的には、アイス玩具50は、アイスクリーム製造玩具１が互いに分離した、第１ピースたるアイスピース51と、第２ピースたるコーンピース52とを接触させて、両者を連結して遊ぶものである。
【００１４】
アイスピース51は、紡錘上の本体51ａを有し、その外周面の表面には顔51ｂが描かれている。また、本体51の内側にはスプルー51ｃが一体に成型されており、その下端には面ファスナー51ｄが固定されている。また、コーンピース52は本体部52ａとその上部のドーム部52ｂから構成されており、ドーム部52ｂの上端には、上述したアイスピース51の面ファスナー51ｄに着脱する面ファスナー52ｃを取り付けている。
【００１５】
連結玩具たるアイスクリーム製造玩具１は、前方が開いた箱型の筐体２と、その上方に配置される第１ピース保持部たるアイスピースセット空間３と、筺体２の内側空間２ａ内に昇降可能に配置される、第２ピース保持部たる昇降スタンド４とを有する。
＜昇降スタンドの昇降機構＞
【００１６】
図２及び図３を用いて、昇降スタンド４の昇降機構について説明する。昇降スタンド４は、ベース４ａと上面に一体に成型されたカップフレーム４ｂとを有し、このカップフレーム４ｂの内底には、回転体たるターンテーブル５が配置されている。カップフレーム４ｂは、上述したアイス玩具50のコーンピース52の下端を挿入し、ターンテーブル５はコーンピース52を載せ、ベース部４ａやカップフレーム４ｂから独立して回転する。
【００１７】
また、昇降スタンド４の後方角部には中央に穴が開いたガイドピース４ｃが、ベース４ａと一体に形成されており、同穴に筺体２に固定されたガイドポール２ｂが挿通されることで、昇降スタンド４が昇降する際にこれを案内する。
【００１８】
さらに、昇降スタンド４の後方には、先端部が先細になった、楔部たる楔型スライダ４ｄが取り付けられており、筺体２の内側正面のスライド溝２ｃに沿って上下する構造となっている。
【００１９】
筺体２の天面にあるアイスピースセット空間３はトップカバー６が取り付けられて、このアイスピースセット空間３を覆っており、遊び手はトップカバー６を外して、アイス玩具51のアイスピース51を内側に載置する。トップカバー６の正面には透明パーツで窓６ａが形成されており、内側に載置されたアイスピース51を確認することができる。
【００２０】
このトップカバー６の傍らには、後述する昇降ギヤトレイン9を収納するギヤボックス７が取り付けられており、さらにギヤボックス７の側面には、昇降ギヤトレイン９に手動で駆動力を入力する、駆動手段たるスロットレバー８を回動可能に取り付けている。
【００２１】
図２及び図３を用いて、昇降スタンド４の昇降構造を説明する。筺体２の背面２ｄには、螺旋軸10が回転可能に取り付けられており、螺旋軸10の上端10ａには昇降ギヤトレイン９の一部をなす平歯ギア９ｆが取り付けられ、下端10ｂは、ガイドポール２ｂと共通の軸受け11によって回転可能に支持されている。
【００２２】
螺旋軸10には、昇降スタンド４の螺旋軸バインダ４ｅが取り付けられており、螺旋軸バインダ４ｅ内の係合ピン４ｆが螺旋軸10の螺旋溝10ｃに嵌合している(図３参照)。このため、螺旋軸10が回転すると、係合ピン４ｆは螺旋溝10ｃに沿って昇降するため、これに伴って昇降スタンド４が昇降することとなる。すなわち、螺旋軸10と螺旋軸バインダ４ｅにより、離接手段が構成されることになる。
【００２３】
図２に示すように、筺体２の天面２ｆには、スロットレバー８の回動基部８ａにより回転する傘歯ギア９ａと、それを受ける傘歯ギア９ｂ、さらに複数の平歯ギア９ｃ乃至９ｅを介して、螺旋軸10の上端の平歯ギア９ｆに連動する昇降ギヤトレイン９が形成されている。
【００２４】
すなわち、遊び手がスロットレバー８を倒すと、この昇降ギヤトレイン９を介して駆動力が入力され、旋回軸10を回転させることで、昇降スタンド４を上昇させることができる。
＜ターンテーブルの回転機構＞
【００２５】
次に、図３及び図４を用いて、昇降スタンド４にあるターンテーブル５の回転機構を説明する。図３は、上述のようにアイスクリーム製造玩具の外カバーを外した状態の正面指図であり、図４は昇降スタンドの底面図を示し、ターンテーブルを動かす回転ギヤトレインを説明するものである。同図(ａ)は、昇降スタンドが下降する際の状態を示し、同図(ｂ)は昇降スタンドが上昇する際の状態を示す。
【００２６】
ラックレール12が、螺旋軸10と平行になるように、筺体２に固定され、ラックレール12のラック歯12ａは、筺体２の内側正面から露出している。図４(ａ)に示すように、このラック歯12ａは、昇降スタンド４の内側に配置される傘歯ギア13ａに噛合している。
【００２７】
また、傘歯ギア13ａは、平歯ギア13ｂ、13ｃに連結され、さらに切り替え手段たるクラッチギア14を介して、ターンテーブル５の下に取り付けられる平歯ギア13ｄに連結している。すなわち、傘歯ギア13ａから、平歯ギア13ｄまで、クラッチギア14を介して、回転ギヤトレイン13が形成される。
【００２８】
なお、クラッチギア14の軸受け14ａは長穴形状を有し、噛合した平歯ギア13ｃからの駆動力の入力方向によって、一端から他端に移動する構造となっている。すなわち、平歯ギア13ｃが右回転する場合は、クラッチギア14が図４(ａ)に示す位置に置かれ、回転ギヤトレイン13が傘歯ギア13ａからの駆動力を平歯ギア13ｄに伝達する。これに対して、平歯ギア13ｃが左回転する場合は、クラッチギア14が長穴に沿って外側へ移動し、図４(ｂ)に示す位置に置かれ、両側の平歯ギア13ｃ、13ｄの噛合が解除されるので、回転ギヤトレイン13が傘歯ギア13ａからの駆動力を平歯ギア13ｄに伝達しないことになる。
【００２９】
すなわち、昇降スタンド４が下降する際には、図４(ａ)に示す状態が維持され、ラックレール12のラック歯12ａに噛合した傘歯ギア13ａが回転し、クラッチギア14を含めた回転ギヤトレイン13がこの回転を伝達することにより、ターンテーブル５を回転させることとなる。このため、ターンテーブル５の上に載置されたアイスクリーム玩具50は回転しながら昇降スタンド４とともに下降する。
【００３０】
反対に、昇降スタンド４が上昇する際には、図４(ｂ)に示す状態に変化し、傘歯ギア13ａの駆動力を回転ギヤトレイン13がこの回転を伝達しないために、ターンテーブル５を回転させることはない。このため、ターンテーブル５の上に載置されたアイスクリーム玩具50は停止した状態で昇降スタンド４は上昇する。
【００３１】
なお、昇降スタンド４は、昇降距離の片道である、下降距離を移動するに際して、ターンテーブル５は180度回転するように回転ギヤトレイン13のギア比が設定される。すなわち、ターンテーブル５に載置されたアイスクリーム玩具50は下降する間に180度回転することとなる。
＜落下穴のゲート開閉機構＞
【００３２】
図５及び図６を用いて、アイスピースセット空間３のゲート開閉機構について説明する。図５は実施形態に係るゲートの開閉説明図であり、同図(ａ)はゲートが閉まった状態、同図(ｂ)はゲートが開いた状態を示し、さらにす。
【００３３】
図５(ａ)に示すように、アイスピースセット空間３はアイスピース51を落下させるための落下穴３ａを有するが、この落下穴３ａの一部を塞ぎ、アイスピース51を保持するゲートは、右第１ゲート15、左第１ゲート16、右第２ゲート17、左第２ゲート18の4つから構成される。
【００３４】
まず、右第１ゲート15、左第１ゲート16は、それぞれの基部15ａ、16ａを、平歯ギア９ｆの両側で、筺体２の天面に軸支されており、この基部15ａ、16ａを中心にそれぞれの本体15ｂ、16ｂが回動する構造となっている。また、右第２ゲート17、左第２ゲート18も、それぞれの基部17ａ、18ａを筺体２の天面に軸支されており、同様にこの基部17ａ、18ａを中心にそれぞれの本体17ｂ、18ｂが回動する構造となっている。
【００３５】
なお、右第２ゲート17、左第２ゲート18は、図示しないリンク機構により、それぞれ右第１ゲート15、左第１ゲート16に連動して、それぞれ同じ方向に移動する。
【００３６】
右第１ゲート15、左第１ゲート16のそれぞれの中途部にはピン15ｃ、16ｃが取り付けられ、両ピン15ｃ、１６ｃの間にコイルスプリング19が掛け渡されている。このため、右第１ゲート15及び左第１ゲート16は、お互いの方向へ付勢されている。また、右第１ゲート15、左第１ゲート16の間の、コイルスプリング19の近傍に挿入スリット20が形成されている。
【００３７】
このため、通常の状態では、コイルスプリング19の働きにより、右第１ゲート15乃至左第２ゲート18のそれぞれの本体15ｂ、16ｂ、17ｂ、18ｂが、落下穴３の周縁から内側に張り出し、その一部を塞ぐ状態となっている。なお、右第１ゲート15には、外側に張り出し、昇降ギヤトレイン９を構成する平歯ギア9ｃと接触するバルジ15ｄが形成され、通常の状態では、右第１ゲート15の移動が規制されている。
【００３８】
次に、図５(ｂ)に示すように、昇降スタンド４が上昇し、それに取り付けられた楔型スライダ４ｄが右第１ゲート15と左第１ゲート16間を広げ、これに連動して、右第２ゲート17、左第２ゲート18が移動し、落下穴３が開放される。
【００３９】
図６を用いて、ゲートの開閉機構を説明する。同図(ａ)は、楔型スライダ４ｄの上昇中の正面図であり、同図(ｂ)は、楔型スライダ４ｄの上昇終了時の正面図である。これら図に示すように、昇降スタンド４と一体に移動する楔型スライダ４ｄが筺体２のスライド溝２ｃを上昇すると、右第１ゲート15と左第１ゲート16間に形成される挿入スリット20に下方から挿入され、その上昇が続くと、徐々に右第１ゲート15と左第１ゲート16とを押し広げることとなる。
【００４０】
なお、図５(ｂ)に示すように、右第1ゲート15のバルジ15ｄが当接している平歯ギア９ｃには凹部９ｃ１が形成され、楔型スライダ４ｄの挿入スリット20への挿入時に、バルジ15ｄと凹部９ｃ１が対向して嵌合する構造となっており、この位置において右第１ゲート15は、その移動が許容されることになる。
＜アイスクリーム製造玩具の全体の動作説明＞
【００４１】
図７を用いて、最後に、全体を通してのアイスクリーム製造玩具１の動作を説明する。まず、図７(ａ)に示すように、トップカバー６を開け、アイスピースセット空間３にアイスクリーム玩具50のアイスピース51を載せる。この際、アイスピース51の顔51ｂが、トップカバー６の窓６ａから見えないよう後ろ向きに、アイスピース51を配置する。
【００４２】
アイスピース51はゲート15乃至18上に載置されるため、落下穴３ａから落下することはない。特に、図５(ａ)に示したように、この時、右第１ゲート15はバルジ15ｄが平歯ギア９ｃに移動を阻まれ、遊び手が誤って右第１ゲート15を移動させてアイスピース51を落下させてしまうことはない。
【００４３】
また、アイスクリーム玩具50のコーンピース52は、昇降スタンド４のカップフレーム４ｂ上に載せられ、コーンピース52はカップフレーム４ｂ内のターンテーブル５上に載置されることになる。
【００４４】
この状態で、図７(ｂ)に示すように、遊び手がスロットレバー８を手前に降ろすと、図２に示す昇降ギヤトレイン９と螺旋軸10とを駆動し、昇降スタンド４が上昇する。このとき、昇降スタンド４内の回転ギヤトレイン13は、クラッチギア14が外れた図４(ｂ)に示す状態にあるため、昇降スタンド４が上昇する際にラックレール12から受ける駆動力は伝達されず、ターンテーブル５が回転しないため、コーンピース52は載置された状態で、そのまま上昇する。
【００４５】
図７(ｃ)に示すように、さらに昇降スタンド４が上昇すると、図６に示す楔スライダ４ｄが右第１ゲート15、左第１ゲート16を左右に押し広げ、それぞれに伴って右第２ゲート17、左第２ゲート18が移動して、落下穴３ｃが開口する。このとき、図５(ｂ)に示したように、右第１ゲート15のバルジ15ｄが平歯ギア９ｃの凹部９ｃ１に嵌まり込むため、上記ゲート15、16の移動が許容される。
【００４６】
アイスピース51がコーンピース52上に落下すると、両者の面ファスナー51ｄ、52ｃが接触し、アイスピース51の自重により両者が連結されることになる。
【００４７】
次に、図７(ｄ)に示すように、スロットレバー８を戻していくと、図２の昇降ギヤトレイン９が逆回転し、昇降スタンド４は下降する。このとき、昇降スタンド４内の回転ギヤトレイン13は、クラッチギア14が戻った図４(ａ)に示す状態になるため、昇降スタンド４が下降する際に受け取るラックレール12からの駆動力が、ターンテーブル５に伝達される。そのため、アイスクリーム玩具50は回転しながら下降する。
【００４８】
最後に、図７(ｅ)に示すように、スロットレバー８が初期位置に戻り、昇降スタンド４がフレーム２の底部に着地することで、一連の動作を終了する。上述したように、ターンテーブル５の、昇降スタンド４の昇降片道での回転角度は180度に設定されているため、図７(ｃ)で連結したアイスクリーム玩具50は、その時点で背面になっていた面が正面に向くことになる。このため、アイスピース51に画かれていた顔52ｂは、これら一連の動作の終了時に正面を向き、最後に遊び手から見ることができるようになる。
【００４９】
以上のように、本実施形態のアイスクリーム製造玩具１ではスロットレバー８を引くだけで、昇降スタンド４の昇降、ターンテーブル５の回転を行うことができ、アイスピース51とコーンピース52の連結をこの動きに合わせて行うことができる。
【００５０】
また、このアイスクリーム製造玩具１では、昇降スタンド４の昇降方向で、ターンテーブル５の回転／静止を切り替えるため、アイスクリーム玩具50の連結動作にさらなる変化を与えるため、より遊び手の興味を引く玩具とすることができる。
【００５１】
さらに、アイスピースセット空間３の落下穴３ａの開閉を行うゲート15乃至18に、所定の位置でのみの移動を許容するバルジ15ｄと凹部９ｃ１を設けたため、遊び手がアイスピース51を載置する際に、誤ってゲート15乃至18を移動させ落下させることを防止することができ、遊び手にストレスを生じさせない玩具とすることができる。
＜第２実施形態＞
【００５２】
本発明の第２実施形態を、図８乃至図10を用いて説明する。本実施形態は、第１実施形態と異なり、螺旋軸を用いた昇降スタンドの昇降機構に代えて、ボビンとワイヤを用いて同昇降機構を構成したものである。図８は、第２実施形態に係るアイスクリーム製造玩具の、外カバーを外した状態の背面斜視図であり、図９は、同実施形態に係るアイスクリーム製造玩具の、外カバーを外した状態の正面斜視図である。なお、第１実施形態と同様の構造については、同一の符号をつけて説明を省略する。
【００５３】
図８に示すように、昇降ギヤトレイン９の末端に位置する平歯ギア９ｅは、同軸上にボビン９ｆが取り付けられており、このボビン９ｆにはワイヤ９ｇの一端が固定されて、ワイヤ９ｇを巻き取る構造となっている。
【００５４】
同８図と図９に示すように、ワイヤ９ｇは、プーリ９ｈを介して垂下し、ワイヤ９ｇの他端は、昇降スタンド４の一部である昇降プレート４ｆの固定ピン４ｇに固定されている。
【００５５】
かかる構造において、スロットレバー８を引くと、ギヤトレイン９のそれぞれのギアとボビン９ｇが回転し、ワイヤ９ｇを巻き上げる。ワイヤ９ｇの一端に固定された昇降プレート４ｆは、ワイヤ９ｆにより引き上げられ、昇降スタンド４を上昇させる。逆に、スロットレバー８を戻すと、ボビン９ｆに巻き取られたワイヤ９ｇは開放されて、昇降スタンド４は自重で降下する。
【００５６】
図10を用いて、開閉機構について、第１実施形態との相違点を説明する。図10は、同実施形態に係るアイスクリーム製造玩具の開閉機構の説明図である。
【００５７】
本実施形態の開閉機構は、右第１ゲート15は、バルジ15ｄ(図７(ｃ)参照)を有さず、また、平歯ギア９ｃもこれに対応する凹部９ｃ１を有さない(同じく図７(ｃ)参照)。ゲート15の開閉機構を簡素化することで、ゲート15のジャムによる動作不良の可能性を低減させることができる。
＜第３実施形態＞
【００５８】
本発明の第３実施形態を、図11を用いて説明する。図11は、合体玩具としてのロボット玩具60と、その連結玩具としてのロボット基地玩具101を示す。ロボット玩具60は、第１ピースたるヘッドピース61と、第２ピースたるボディピース62を磁石(図示せず)で分離可能に構成した玩具である。
【００５９】
連結玩具たるロボット基地玩具１は、箱型の筐体２と、その上方に配置される第１ピース保持部たるロボットヘッドセット空間３と、筺体２内側の第２ピース保持部たる昇降スタンド４とを有する点で、上述のアイスクリーム製造玩具と同様である。
【００６０】
図11(ａ)は各ピース61、62の、ロボット基地玩具101へのセット状態を示す。上述のアイスクリーム製造玩具と異なり、ヘッドピース61は顔を正面に向けて配置し、ボディピース62を後ろ向きに配置する。
【００６１】
図11(ｂ)及び図11(ｃ)に示すように、上記したアイスクリーム製造玩具１と異なり、昇降スタンド４を上昇させる際にターンテーブル５を回転させる構造としている。このため、後ろ向きにターンテーブル５に載置されたボディピース62は、昇降スタンド４が最上位置まで上昇すると、正面を向いた状態でヘッドピース61と連結される。
【００６２】
図11(ｄ)及び図11(ｅ)に示すように、やはり上述したアイスクリーム製造玩具１と異なり、昇降スタンド４を下降させる際にターンテーブル５を静止させる構造としている。なお、ゲート15、16については昇降スタンド４の昇降に応じて移動して落下穴３ａを開放する構造は、アイスクリーム製造玩具１と同様である。
＜他の構成バリエーション＞
【００６３】
上述した、アイスクリーム製造玩具１やロボット基地玩具101の構成は、本発明の実施形態であって、これらの構成に限られない。例えば、駆動手段を手動式のスロットレバー８で構成したが、ダイヤル式の駆動手段でもよく、また、電動モータと接触スイッチを使ったものとすることもできる。
【００６４】
また、螺旋軸10と螺旋軸バインダ４ｅにより、昇降スタンド４を昇降させる離接手段を構成したが、離接方向は上下方向に限られることなく、第２ピースたる玩具パーツを水平方向に移動させる構造であってもよい。
【００６５】
さらに、第２ピースを載置するターンテーブル５を回転部としたが、他に磁石やクリップ等を用いた固定スタンドなどで構成することもできる。また、ターンテーブル５の、昇降スタンド４の移動に伴った回転／静止態様は、往路、復路いずれも回転する構造としてもよい。
【００６６】
また、本実施形態では昇降する第２ピースを合体玩具の下方側のコーンピース52、ボディピース62としたが、反対に上方側のアイスピース51、ヘッドピース61を第２ピースとして、離接手段で移動させる構造としてもよい。なお、合体玩具の第１ピース及び第２ピースは、それぞれ複数種類を提供することで、連結した際の多様性を増やすことができ、より遊び手の興味を引くことができる。
【産業上の利用可能性】
【００６７】
本発明に係る連結玩具は、合体玩具の第２ピースを昇降させて連結するだけでなく、その昇降に伴って第２ピースを回転可能に構成するために、遊び手の興味をより引きつけることができる。
【符号の説明】
【００６８】
１    アイスクリーム製造玩具（連結玩具）
２    筺体
３    アイスピースセット空間（第１ピース保持部）
４    昇降スタンド（第２ピース保持部）
５    ターンテーブル（回転部）
６    トップカバー
７    ギヤボックス
８    スロットレバー（駆動手段）
９    昇降ギヤトレイン
９ｆ  ボビン
９ｇ  ワイヤ
10    螺旋軸（離接手段）
11    軸受け
12    ラックレール
13    回転ギヤトレイン
14    クラッチギア（切り替え手段）
15、16、17、18  ゲート
19    コイルスプリング
20    挿入スリット
50    アイスクリーム玩具（合体玩具）
51    アイスピース（第１ピース）
52    コーンピース（第２ピース）
101   ロボット基地玩具（連結玩具）
60    ロボット玩具（合体玩具）
61    ヘッドピース（第１ピース）
62    ボディピース（第２ピース）
【図１】
2019058378.tif 000003
【図２】
2019058378.tif 000004
【図３】
2019058378.tif 000005
【図４】
2019058378.tif 000006
【図５】
2019058378.tif 000007
【図６】
2019058378.tif 000008
【図７】
2019058378.tif 000009
【図８】
2019058378.tif 000010
【図９】
2019058378.tif 000011
【図１０】
2019058378.tif 000012
【図１１】
2019058378.tif 000013